(57)【要約】【課題】柔軟にＲＣＳを増減させることが可能な電波反射装置、及びこれを備える艦船を提供する。【解決手段】艦船用の電波反射装置は、電波を反射可能な反射装置本体と、側壁面、底面、及び蓋部を備え、反射装置本体を収容可能な収容部と、降下時に収容部の内部に収容されるとともに、上昇時に収容部から突出するように昇降可能であり、上昇時に収容部から突出する部位に反射装置本体が設けられる支持部と、を備える。【選択図】図１
2019176198.tif 000002
【特許請求の範囲】
【請求項１】
電波を反射可能な反射装置本体と、
側壁面、底面、及び蓋部を備え、前記反射装置本体を収容可能な収容部と、
降下時に前記収容部の内部に収容されるとともに、上昇時に前記収容部から突出するように昇降可能であり、前記上昇時に前記収容部から突出する部位に前記反射装置本体が設けられる支持部と、
を備える艦船用の電波反射装置。
【請求項２】
前記反射装置本体は、各方面の電波を反射する８つの反射ユニットを有しており、
前記８つの反射ユニットは、前記支持部の複数の取り付け面に設けられている
請求項１に記載の艦船用の電波反射装置。
【請求項３】
前記収容部は、艦船の船体内部に設けられ、前記船体の幅方向における側面に設けられたパッドアイを有する補給用ポストを収容し、
前記支持部は、前記補給用ポストである
請求項１又は２に記載の艦船用の電波反射装置。
【請求項４】
前記反射装置本体は、前記艦船の進行方向において、前記補給用ポストの前方面及び後方面に設けられている
請求項３に記載の艦船用の電波反射装置。
【請求項５】
前記反射装置本体は、前記支持部に着脱自在である
請求項１から４の何れか一項に記載の艦船用の電波反射装置。
【請求項６】
前記反射装置本体の姿勢を維持するジンバル部をさらに備え、
前記反射装置本体は、前記ジンバル部を介して、前記支持部に設けられている
請求項１から５の何れか一項に記載の艦船用の電波反射装置。
【請求項７】
艦船における船体の取り付け面に設けられ、電波を反射可能な反射装置本体と、
前記取り付け面に着脱自在であって、前記反射装置本体を収容可能なカバーと、
を備える艦船用の電波反射装置。
【請求項８】
請求項１から７の何れか一項に記載の電波反射装置と、
該電波反射装置が搭載される船体と、
を備える艦船。
【発明の詳細な説明】
【技術分野】
【０００１】
本発明は、電波反射装置、及びこれを備える艦船に関する。
【背景技術】
【０００２】
貨物船、客船、及び漁船を含む商業用船舶、並びにレジャーボート等の小型船舶（以下、民間船舶と呼ぶ。）は、レーダー等から照射された電波を反射することで自身の航行位置を他の船舶に知らせることが可能とされている。これにより、航路上の安全性が確保される。
【０００３】
レーダー電波の大部分はこれら船舶の船体、及びデッキ上の構造物によって反射される。特に小型船舶は体格が小さいことから、レーダー上でも他の船舶に比べて小さく表示されてしまう。レーダー上での視認性をさらに高めるための措置として、例えば下記特許文献１に記載された装置が用いられる場合がある。
【０００４】
特許文献１には、コーナーリフレクターと呼ばれる電波反射装置が記載されている。具体的には、このコーナーリフレクターは、電波反射面が形成された主板、及び隔板を有するコーナーリフレクター単体を複数備えている。コーナーリフレクターを取り付けることによって、より積極的に電波を反射することが可能となる。その結果、レーダー上での当該船舶の視認性が向上する。
【０００５】
ところで、上述の民間船舶は航行に際して安全性が重視される一方で、軍事・防衛を任務とする艦船には、その任務の性格上、隠密性（ステルス性）が要求される。即ち、これら艦船の船体や構造物は、電波を照射された方向に反射するのではなく、これを吸収したり、他の方向に散乱させたりすることを志向して設計されている。レーダー上に投影される艦船の大きさは、反射断面積（Radar Cross Section／ＲＣＳ）と呼ばれる指標で評価されることが一般的である。艦船はこのＲＣＳを極力小さく抑えることを目指して設計される。
【先行技術文献】
【特許文献】
【０００６】
【特許文献１】特開２００１−１７７３３５号公報
【発明の概要】
【発明が解決しようとする課題】
【０００７】
しかしながら、上記のような艦船であっても、例えば補給任務のように他の艦船と近接した状態で行動する際にはＲＣＳを確保して、航行位置を他の船舶に知らせたいという要望がある。このように、必要に応じてＲＣＳを増減させることが可能な技術に対する要請が高まっていた。
【０００８】
本発明は上記課題を解決するためになされたものであって、ＲＣＳを増減させることが可能な電波反射装置、及びこれを備える艦船を提供することを目的とする。
【課題を解決するための手段】
【０００９】
本発明の第１の態様によれば、艦船用の電波反射装置は、電波を反射可能な反射装置本体と、側壁面、底面、及び蓋部を備え、前記反射装置本体を収容可能な収容部と、降下時に前記収容部の内部に収納されるとともに、上昇時に前記収容部から突出するように昇降可能であり、前記上昇時に前記収容部から突出する部位に前記反射装置本体が設けられる支持部と、を備える。
【００１０】
上記態様によれば、反射装置本体を電波に曝露するか否かの状態（曝露状態）を切り換えることが可能となる。即ち、反射装置本体を電波に対して曝露しない状態とすることでＲＣＳを低下させ、電波に対して曝露される状態とすることでＲＣＳを増加させることができる。
【００１１】
本発明の第２の態様によれば、第１の態様に係る電波反射装置において、前記反射装置本体は、各方面の電波を反射する８つの反射ユニットを有しており、前記８つの反射ユニットは、前記支持部の複数の取り付け面に設けられていてもよい。
【００１２】
本発明の第３の態様によれば、第１の態様又は第２の態様に記載の電波反射装置は、前記収容部は、前記艦船の船体内部に設けられ、前記船体の幅方向における側面に設けられたパッドアイを有する補給用ポストを収容し、前記支持部は、前記補給用ポストである。
【００１３】
上記態様によれば、補給用ポストを支持部として用いることから、補給を遂行するに当たって最も重要となる補給用ポストの位置を他の艦船に対してより明確に認知させることが可能となる。さらに、補給用ポストは艦船に既設であることから、支持部として他の装置を新たに設ける必要がない。これにより、艦船の構造物の数や、建造に要するコストを削減することができる。
【００１４】
本発明の第４の態様によれば、第３の態様に係る電波反射装置において、前記反射装置本体は、前記艦船の進行方向において、前記補給用ポストの前方面及び後方面に設けられているものであってよい。
【００１５】
上記態様によれば、補給用ポストを支持部として用いることから、反射装置本体が補給作業の邪魔になることを避けることができる。
【００１６】
本発明の第５の態様によれば、第１の態様から第４の態様の何れかにおける前記反射装置本体は、前記支持部に着脱自在であってよい。
【００１７】
上記態様によれば、周辺状況に応じてさらに柔軟にＲＣＳを増減させることが可能となる。
【００１８】
本発明の第６の態様によれば、第１の態様から第５の態様の何れかにおいて、前記反射装置本体の姿勢を維持するジンバル部をさらに備え、前記反射装置本体は、前記ジンバル部を介して、前記支持部に設けられてもよい。
【００１９】
上記態様によれば、反射装置本体の姿勢が維持されるため、船体のロール及びピッチの影響によって反射装置本体３１の角度が小刻みに変化することによる電波の反射量の変化が発生しにくくなる。したがって、安定したＲＣＳを確保することができる。
【００２０】
本発明の第７の態様によれば、電波反射装置は、艦船における船体の取り付け面に設けられ、電波を反射可能な反射装置本体と、前記取り付け面に着脱自在であって、前記反射装置本体を収容可能なカバーと、を備える。
【００２１】
上記態様によれば、電波反射装置を非可動の装置や設備にも設けることができる。
【００２２】
本発明の第８の態様によれば、艦船は、第１の態様から第７の態様の何れかの電波反射装置と、該電波反射装置が搭載される船体と、を備える。
【発明の効果】
【００２３】
本発明によれば、柔軟にＲＣＳを増減させることが可能な電波反射装置、及びこれを備える艦船を提供することができる。
【図面の簡単な説明】
【００２４】
【図１】本発明の第一実施形態に係る艦船を示す模式図である。
【図２】本発明の第一実施形態に係る電波反射装置を示す図であって、補給用ポスト（支持部）が船体から突出した露出状態にある場合を示している。
【図３】本発明の第一実施形態に係る電波反射装置を示す図であって、補給用ポスト（支持部）が船体内に収容された収容状態にある場合を示している。
【図４】本発明の第一実施形態に係る電波反射装置の要部拡大図である。
【図５】本発明の第一実施形態に係る電波反射装置の変形例を示す図である。
【図６】本発明の第一実施形態に係る電波反射装置のさらなる変形例を示す図である。
【図７】本発明の第二実施形態に係る電波反射装置を示す図である。
【図８】本発明の第三実施形態に係る電波反射装置を示す図である。
【発明を実施するための形態】
【００２５】
［第一実施形態］
本発明の第一実施形態について図１〜図６を参照して説明する。本実施形態に係る艦船１００は、洋上での防衛を主任務としており、具体的にはイージス艦や、護衛艦、輸送艦、補給艦等を含む。図１に示すように、艦船１００は、船体１と、船体１上に設けられた構造物２と、電波反射装置３と、を備えている。
【００２６】
船体１は、各種の物資Ｃや兵器・人員を搭載可能な容器状をなしており、海面上での航行に適した形状を有している。より具体的には船体１は、船首部１１と、船体中央部１２と、船尾部１３と、を有している。船尾部１３から船首部１１に向かう方向を艦船１００の進行方向と呼ぶことがある。船首部１１の先端には、航行時の水の抵抗を抑制するためにバルブ状に突出したバルバスバウ（不図示）が設けられている。船尾部１３には、スクリュー、舵（いずれも不図示）が設けられている。スクリューは船体１内部に設けられた発動機（不図示）によって回転駆動されることで進行方向後方側に向かって推進力を発生させる。舵は舵面を有する板状の部材であり、姿勢（角度）を変化させることで艦船１００の進行方向を変えることができる。船体中央部１２は、船首部１１と船尾部１３とを進行方向に接続している。船首部１１、船体中央部１２、船尾部１３の天面（即ち、上方を向く面）は甲板１Ａとされている。甲板１Ａ上には、構造物２が設けられている。構造物２は、例えば艦橋や各種の格納庫等を含む。艦橋内部には操舵室が設けられている。格納庫には種々の機材や設備が格納される。
【００２７】
本実施形態に係る艦船１００は、上述のように洋上での防衛を主任務としていることから、高い隠密性（ステルス性）を有している。より具体的には、レーダーやソナーを含む策敵手段に対して、当該艦船１００の航行位置や進行方向を可能な限り隠匿することを目指して設計されている。即ち、船体１や構造物２は、レーダーから照射された電波を照射された方向に反射するのではなく、これを吸収したり、他の方向に散乱させたりする。なお、レーダー上に投影される艦船１００の大きさは、反射断面積（Radar Cross Section／ＲＣＳ）と呼ばれる指標で評価されることが一般的である。艦船１００はこのＲＣＳを極力小さく抑えることを目指して設計される。
【００２８】
甲板１Ａ上にはさらに電波反射装置３が設けられている。電波反射装置３は、陸上や海上、空中に設置されたレーダーからの電波（電磁波）を、当該電波の照射された方向に向かって反射させる。
具体的には図２に示すように、本実施形態に係る電波反射装置３は、反射装置本体３１と、補給用ポスト（支持部）４と、収容部５と、動力部６と、を有している。
反射装置本体３１は、電波を高効率で反射可能な形状、材質を有している。反射装置本体３１の具体的な構成については後述する。補給用ポスト４は、反射装置本体３１を支持し、収容部５で画成された収容空間に収容可能である。反射装置本体３１は、補給用ポスト４の先端部（一例として上方の端部）に取り付けられており、補給用ポスト４と共に収容部５に収容可能である。つまり、収容部５は、反射装置本体３１及び補給用ポスト４を収容することが可能である空間である。より詳細には、収容部５は、収容部５の側面を形成する側壁面５４と、収容部５の下面を形成し、側壁面を接続する底面５５と、収容部５の上面である開口部５１を閉止するハッチ５２（蓋部）と、で囲まれた空間である。動力部６は、収容部５の底面５５に設けられ、補給用ポスト４を船体１の上下方向（高さ方向）に変位させ、補給用ポスト４を降下させることによって、補給用ポスト４を収容部５に収容した収容状態と、補給用ポスト４を上昇させることによって、船体１の外部（甲板１Ａ上）に突出した露出状態とに切り換える装置である。反射装置本体３１は、補給用ポスト４が露出状態になる上昇時に、収容部５から突出する部位に設けられている。よって、補給用ポスト４に取り付けられている反射装置本体３１は、補給用ポスト４の状態に合わせて、収容部５に収容された収容状態と、船体１の外部（甲板１Ａ上）に突出した露出状態とに切り換わる。動力部６は、例えば、電動機であってよい。
【００２９】
補給用ポスト４は、洋上において他の艦船１００との間で行われる物資Ｃの授受（補給）のために設けられている。具体的には図２に示すように、補給用ポスト４は、ポスト本体４１（キングポスト）と、ボールネジ４２と、パッドアイ４３と、を有している。ポスト本体４１は、甲板１Ａから上方に向かって延びる柱状をなしている。ポスト本体４１の内部には当該ポスト本体４１と同一の方向に延びるボールネジ４２が収容されている。ボールネジ４２は、自身の延びる方向回りに回転可能とされている。パッドアイ４３はボールネジ４２にかみ合った状態でポスト本体４１に支持されている。即ち、ボールネジ４２を回転させることで、パッドアイ４３の上下方向における位置が変化する。パッドアイ４３には、他の艦船１００との間で掛け渡されたワイヤー４４の一端が接続されている。ワイヤー４４上には滑車４５が設けられている。滑車４５には物資Ｃが吊り下げられる。滑車４５をワイヤー４４に沿って移動させることで、艦船１００同士の間で物資Ｃの授受を行うことができる。
【００３０】
収容部５は、図２又は図３に示すように、船体１の内部に設けられ、船体１の上下方向に延びており、収容部５の上端部は、甲板１Ａ上に開口する開口部５１である。開口部５１からの収容部５の上下方向の長さ（深さ）は、上下方向における補給用ポスト４の長さよりも十分に大きく設定されている。収容部５の開口部５１には、開口部５１を開放及び閉止するハッチ５２が設けられている。ハッチ５２は、開口部５１の端縁に沿って延びる回動軸５３を中心に回動する。
【００３１】
補給用ポスト４は、降下時に収容部５の内部に収容されるとともに、上昇時に収容部５から突出するように昇降可能である。
図２は、補給用ポスト４が甲板１Ａ上に突出した露出状態を示している。補給用ポスト４とともに反射装置本体３１は、船体１の外部に曝されているため、露出状態においては、船体１の外部から反射装置本体３１に到来する電波を反射する。
一方で図３は、補給用ポスト４が収容部５に収容された収容状態を示している。同図に示すように、収容状態において補給用ポスト４及び反射装置本体３１は、収容部５内に収容され、収容部５の開口部５１はハッチ５２によって閉止される。これによって、収容状態においては、船体１の外部から反射装置本体３１に到来する電波が遮断される。
【００３２】
続いて、図４を参照して反射装置本体３１の構成について説明する。
反射装置本体３１は、４つの反射ユニット７を有しており、船体１の一側面である取り付け面Ｓに設けられている。反射装置本体３１は、取り付け面Ｓに沿って広がる第一反射板Ｒ１と、第一反射板Ｒ１の中心を通り、該第一反射板Ｒ１に直交する面方向に広がる第二反射板Ｒ２と、第一反射板Ｒ１の中心と通り、且つ第一反射板Ｒ１及び第二反射板Ｒ２に直交する面方向に広がる第三反射板Ｒ３と、を有している。
【００３３】
反射装置本体３１は、補給用ポスト４の第一側面（取り付け面Ｓ）に取り付けられる反射装置本体３１ａと、第一側面方向の反対である第二側面（取り付け面Ｓ）に取り付けられる反射装置本体３１ｂとを有している。
反射装置本体３１ａは、第一反射板Ｒ１の右上の第一部位、第二反射板Ｒ２の右側部位、及び第三反射板Ｒ３の上側部位で形成され、右上に位置する第一ユニット７１と、第一反射板Ｒ１の右下の第二部位、第二反射板Ｒ２の右側部位、及び第三反射板Ｒ３の下側部位で形成され、第一ユニット７１の下方に位置する第二ユニット７２と、第一反射板Ｒ１の左下の第三部位、第二反射板Ｒ２の左側部位、及び第三反射板Ｒ３の下側部位で形成され、第二ユニット７２の左側かつ第一ユニット７１の下方に位置する第三ユニット７３と、第一反射板Ｒ１の左上の第四部位、第二反射板Ｒ２の左側部位、及び第三反射板Ｒ３の上側部位で形成され、第一ユニット７１の左側に位置する第四ユニット７４と、を有している。反射装置本体３１ｂは、反射装置本体３１ａと同様の構造を有しており、右上に位置する第五ユニット７５と、第五ユニット７５の下方に位置する第六ユニット７６と、第六ユニット７６の左側かつ第五ユニット７５の下方に位置する第七ユニット７７と、第五ユニット７５の左側に位置する第八ユニット７８と、を有している。これによって、８つの反射ユニット７を有する反射装置本体３１は、互いに直交する三方向から到来したそれぞれの電波を反射することができる。
なお、反射装置本体３１は、反射装置本体３１ａと反射装置本体３１ｂとを一体的に形成し、一体的な８つの反射ユニット７で構成されても良い。
また、第一反射板Ｒ１、第二反射板Ｒ２、及び第三反射板Ｒ３が、いずれも正方形である反射ユニット７を、「方形三面コーナーリフレクター」と呼ぶことがある。
【００３４】
図４に示すように、反射装置本体３１は、補給用ポスト４（ポスト本体４１）の各面のうち、側面のいずれか一つの面、又は複数の面に取り付けられている。反射装置本体３１が補給用ポスト４に取り付けられる面を取り付け面Ｓと呼ぶ。反射装置本体３１は、好ましくは、艦船１００の進行方向において補給用ポスト４の前方面又は後方面のいずれかの面、もしくは補給用ポスト４の前方面及び後方面の両面、に設けられている。反射装置本体３１が補給用ポスト４の前方面及び後方面の少なくとも一面に設けられることによって、反射装置本体３１が補給作業の邪魔になることを避けることができる。
本実施形態の反射装置本体３１は、図４に示すように、艦船１００の進行方向において補給用ポスト４の前方面に４つの反射ユニット７（第一ユニット７１、第二ユニット７２、第三ユニット７３、第四ユニット７４）、及び後方面に４つの反射ユニット７（第五ユニット７５、第六ユニット７６、第七ユニット７７、第八ユニット７８）が設けられている。
反射装置本体３１が取り付けられる面（上記の取り付け面Ｓ）は、補給用ポスト４（ポスト本体４１）の各面のうち、艦船の他の構造の動作を妨げとならず、且つ他の構造物によって電波が妨害されない面に設けられる。
【００３５】
次に、本実施形態に係る電波反射装置３の動作について説明する。
上述のように、本実施形態に係る艦船１００は、防衛という任務の性格上、艦船１００のＲＣＳが小さく抑えられている。しかしながら、補給等を艦船１００と他の艦船との間で行う局面では、当該他の艦船と近接する必要がある。このため、一時的に艦船１００のＲＣＳを増大させて自身の航行位置等を他の艦船に明確に認知させることが好ましい。
【００３６】
そこで、本実施形態に係る艦船１００には、上述の電波反射装置３が設けられている。電波反射装置３の反射装置本体３１は、補給時の目標物となる補給用ポスト４に設けられている。即ち、補給時に補給用ポスト４を船体１の外部に突出させて、露出状態とすることで、ＲＣＳ増加させることができ、他の艦船に艦船１００の位置を明確に認知させることができる。一方で、補給を行う前後では、補給用ポスト４を収容部５に収容して、収容状態とすることで、艦船１００のＲＣＳを小さく抑えることができ、艦船１００が発見される可能性を低減することができる。このように、本実施形態に係る電波反射装置３は、ＲＣＳの大きさを必要に応じて切り換えることができる。
【００３７】
以上、説明したように、本実施形態に係る構成によれば、反射装置本体３１が補給用ポスト４に設けられているため、補給用ポスト４と共に反射装置本体３１を収容部５に収容したり、補給用ポスト４と共に反射装置本体３１を収容部５から船体１の外部に突出するように露出させたりすることによって、電波に対する反射装置本体３１を電波に対して曝露するか否か（曝露状態）を切り換えることが可能となる。即ち、反射装置本体３１を電波に対して曝露しない状態とすることでＲＣＳを低減させ、電波に対して曝露される状態とすることでＲＣＳを増加させることができる。
【００３８】
加えて、本実施形態では、反射装置本体３１が補給用ポスト４に設けられていることから、補給を遂行するに当たって最も重要となる補給用ポスト４の位置を他の艦船に対してより明確に認知させることが可能となる。さらに、補給用ポスト４は艦船１００に既設であることから、反射装置本体３１を支持するための新たな装置を設ける必要がない。これにより、艦船１００の構造物２の数や、建造に要するコストを削減することができる。
【００３９】
以上、本発明の第一実施形態について説明した。なお、本発明の要旨を逸脱しない限りにおいて、上記の構成に種々の変更や改修を施すことが可能である。例えば、反射装置本体３１に到来する電波から反射装置本体３１を遮蔽する収容部５の他の態様として、図５に示すカバー８を採用することも可能である。同図の例では、反射装置本体３１を、取り付け面を除く三方面から覆うことが可能であり、取り付け面Ｓに着脱可能なカバー８が設けられている。ＲＣＳを小さく抑えたい場合には、カバー８によって反射装置本体３１を覆う。一方で、ＲＣＳを増大させたい場合には、カバー８を取り外して反射装置本体３１を露出させる。この構成によれば、反射装置本体３１を非可動の装置や設備にも設けることができる。
【００４０】
さらに、図６に示すように、反射装置本体３１を取り付け面Ｓに着脱自在とすることも可能である。同図の例では、反射装置本体３１に係合部９１が設けられ、取り付け面Ｓ上に係合部９１が係止される係止部９２が設けられている。係合部９１及び係止部９２は、係止部９２と係合部９１とで着脱自在であるような構成であり、例えば、フックとリング、ボルトとナット、又はノッチ（凹部）とそれに係合する突出部、の構成などであってよい。
上記の構成によれば、反射装置本体３１が取り付け面Ｓに対して着脱自在であることから、例えば、取り付け面Ｓが補給用ポスト４に設けられている場合、反射装置本体３１を取り付け面Ｓから取り外すことで、ＲＣＳを低減した状態で当該補給用ポスト４を突出させることができる。即ち、上記の構成によれば、周辺状況に応じてさらに柔軟にＲＣＳを増減させることが可能となる。
【００４１】
なお、反射装置本体３１の寸法（即ち、第一反射板Ｒ１、第二反射板Ｒ２、及び第三反射板Ｒ３の面積）は、必要とされるＲＣＳの増加分に基づいて適宜設定される。上述の方形三面コーナーリフレクターにおけるＲＣＳの最大値（σ）は、一例として下記の（１）式によって算出される。
σ＝１２πａ＾４／λ＾２      ・・・（１）
なお、（１）式において、ａは第一反射板Ｒ１、第二反射板Ｒ２、及び第三反射板Ｒ３の各辺の長さであり、λは照射される電波の波長である。
第一実施形態では、補給用ポスト４の前方面及び後方面の両面に、反射装置本体３１ａと反射装置本体３１ｂとを設ける例について説明したが、これに限らない。例えば、反射装置本体３１の各反射ユニットを３か所以上の取り付け面Ｓに分割して取り付けてもよい。ただし、反射装置本体としては、小さい面積の反射ユニットを多数設けるよりも、大きい面積の反射ユニットを少数設ける方がＲＣＳを大きくすることができるため、補給用ポスト４の前方面及び後方面の両面に設けることが好ましい。
【００４２】
［第二実施形態］
続いて、本発明の第二実施形態について、図７を参照して説明する。なお、上記第一実施形態と同様の構成については同一の符号を付し、詳細な説明を省略する。
上記第一実施形態では、反射装置本体３１が補給用ポスト４に設けられた例について説明した。これに対して図７に示すように、本実施形態に係る電波反射装置２０３は、反射装置本体３１と、伸縮装置２０４と、収容部５と、動力部６と、を有している。この伸縮装置２０４は、例えばシリンダなどの、上下方向にスライド駆動する伸縮部２０４ａを備えており、その先端に反射装置本体３１が設けられている。伸縮部２０４ａは、動力部６によって上下方向に伸縮し、その伸縮によって反射装置本体３１は上下方向に変位する。伸縮装置２０４は、上下方向に変位することで、反射装置本体３１を収容部５に収容する収容状態と、収容部５から突出させる露出状態とを切り換える。伸縮装置２０４は、上記の補給用ポスト４とは異なり、反射装置本体３１を上下方向に変位させるためのみに設けられる専用の設備であってよい。
【００４３】
この構成によれば、伸縮装置２０４によって反射装置本体３１を船体１の外部に突出させることで、容易にＲＣＳを増大させることができる。さらに、艦船１００が補給用ポスト４を備えない場合であっても、反射装置本体３１を設けることができる。即ち、補給以外の任務に就く場合であっても、ＲＣＳを増大させることができる。
【００４４】
以上、本発明の第二実施形態について説明した。なお、本発明の要旨を逸脱しない限りにおいて、上記の構成に種々の変更や改修を施すことが可能である。例えば、伸縮装置２０４は、船体１の外部に突出させることができればよいため、船体１の幅方向における船体１の少なくとも一方の側部に収容部を設け、その収容部から船体１の外部に突出させるように伸縮装置２０４を設けてもよい。
【００４５】
［第三実施形態］
次に、本発明の第三実施形態について、図８を参照して説明する。なお、上記の各実施形態と同様の構成については同一の符号を付し、詳細な説明を省略する。図８に示すように、本実施形態に係る電波反射装置３０３は、反射装置本体３１のロール角及びピッチ角の姿勢を維持するジンバル部３２０をさらに備えている。ジンバル部３２０は、反射装置本体３１に一体に取り付けられたジンバル本体３２１と、反射装置本体３１、及びジンバル本体３２１を取り付け面Ｓ上に支持する支持部３２２と、を有する。換言すると、支持部３２２は船体１又は構造物２上の取り付け面Ｓに設けられ、反射装置本体３１はジンバル本体３２１を介して支持部３２２上に設けられている。
【００４６】
詳しくは図示しないが、ジンバル本体３２１は、互いに直交する３つのジンバル軸回りに回転可能な３つのロータを有している。ロータの回転に基づくジャイロ効果（ジャイロ剛性）によって、ジンバル本体３２１の姿勢が初期状態のまま維持される。即ち、ジンバル本体３２１及び反射装置本体３１は、支持部３２２に対して独立して自身のロール角及びピッチ角の姿勢を維持する。したがって、風浪等によって船体１が動揺しても、ジンバル本体３２１、及び反射装置本体３１の姿勢は変化しない。
【００４７】
この構成によれば、反射装置本体３１の姿勢が維持されるため、船体１のロール及びピッチの影響によって反射装置本体３１の角度が小刻みに変化することによる電波の反射量の変化が発生しにくくなる。したがって、安定したＲＣＳを確保することができ、他の艦船による認知性をさらに高めることができる。加えて、ＲＣＳが変化しにくいことから、レーダー上では当該艦船１００が風浪による動揺が生じにくい程度の体格を有するものとして相手に認知させることが可能となる。即ち、レーダー上に表示される当該艦船１００の体格を実際よりも大きく見せることができる。
【００４８】
以上、本発明の第三実施形態について説明した。なお、本発明の要旨を逸脱しない限りにおいて、上記の構成に種々の変更や改修を施すことが可能である。例えば、上記第一実施形態で説明したカバー８を反射装置本体３１に設けたり、反射装置本体３１、及びジンバル部３２０を補給用ポスト４（ポスト本体４１）又は伸縮装置２０４に対して着脱自在としたりすることが可能である。
【符号の説明】
【００４９】
１…船体
２…構造物
３，２０３，３０３…電波反射装置
４…補給用ポスト（支持部）
５…収容部
６…動力部
７…反射ユニット
８…カバー
１１…船首部
１２…船体中央部
１３…船尾部
３１…反射装置本体
４１…ポスト本体
４２…ボールネジ
４３…パッドアイ
４４…ワイヤー
４５…滑車
５１…開口部
５２…ハッチ（蓋部）
５３…回動軸
５４…側壁面
５５…底面
７１…第一ユニット
７２…第二ユニット
７３…第三ユニット
７４…第四ユニット
９１…係合部
９２…係止部
１００…艦船
２０４…伸縮装置
３２０…ジンバル部
３２１…ジンバル本体
３２２…支持部
１Ａ…甲板
Ｃ…物資
Ｒ１…第一反射板
Ｒ２…第二反射板
Ｒ３…第三反射板
Ｓ…取り付け面
【図１】
2019176198.tif 000003
【図２】
2019176198.tif 000004
【図３】
2019176198.tif 000005
【図４】
2019176198.tif 000006
【図５】
2019176198.tif 000007
【図６】
2019176198.tif 000008
【図７】
2019176198.tif 000009
【図８】
2019176198.tif 000010